(57)【要約】【課題】可動式のアンテナで通信品質の低下を招かないように最適な通信位置を把握して実際の通信を常に高品質で行うこと。【解決手段】アンテナ駆動部１２に測定用アンテナ１３６を回動移動させながら最適通信状況を検索し、この最適通信状況が通信用アンテナ１３ａで受信された通信状況よりも高品質であれば、アンテナ駆動部１２により当該通信用アンテナ１３ａをその最適通信状況受信時のアンテナ角度位置に移動させる制御を行う制御手段とを備える。【選択図】図２
2013017156.tif 000002
【特許請求の範囲】
【請求項１】
通信用アンテナと、
測定用アンテナと、
前記通信用アンテナおよび前記測定用アンテナを駆動するアンテナ駆動部と、
前記測定用アンテナの可動域における通信状況に応じて前記測定用アンテナの位置または前記位置のそばに前記通信用アンテナが位置するようにアンテナ駆動部を制御する制御部と
を備える無線装置。
【請求項２】
前記制御部は、前記アンテナ駆動部に、前記可動域の内の複数の所定位置に、前記測定用アンテナを移動させるように第１制御を行うと共に、前記所定位置で測定された通信状況が、前記通信用アンテナの現在の通信状況より良い場合、前記所定位置で測定された位置または前記位置のそばに前記通信用アンテナが位置するように第２制御を行う請求項１に記載の無線装置。
【請求項３】
前記制御部は、前記第１制御を所定時間間隔で行う請求項２に記載の無線装置。
【請求項４】
前記通信状況は、受信信号強度を示すＲＳＳＩ、搬送波レベル対干渉・雑音比を示すＣＩＮＲ、チャネル品質指数を示すＣＱＩであることを特徴とする請求項１に記載の無線装置。
【請求項５】
前記制御部は、前記通信用アンテナで受信された通信状況が所定の閾値以下となったときに前記第１制御を行う請求項２の記載の無線装置。
【請求項６】
前記制御部は、前記最適通信状況に１未満の比率をかけて前記閾値を算出することを特徴とする請求項５に記載の無線装置。
【請求項７】
前記制御部は、前記最適通信状況から所定の劣化量を減算することによって前記閾値を算出することを特徴とする請求項５に記載の無線装置。
【請求項８】
前記制御部は、前記閾値を、前記測定用アンテナで受信された通信状況において最適通信状況の次に良かった通信状況を前記閾値として設定することを特徴とする請求項５に記載の無線装置。
【請求項９】
前記制御部は、前記測定用アンテナの可動域のうち最適な通信状況の前記測定用アンテナの位置または前記位置のそばに前記通信用アンテナが位置するようにアンテナ駆動部を制御する請求項１に記載の無線装置。
【請求項１０】
通信用アンテナおよび測定用アンテナは、共通の軸を基準に回動して隣り合うよう配備されている請求項１に記載の無線装置。
【発明の詳細な説明】
【技術分野】
【０００１】
本発明は、可動式のアンテナを備え、このアンテナの位置を通信の良好な位置に自動的に移動可能な無線装置に関する。
【背景技術】
【０００２】
従来、可動式のアンテナを備える無線装置として特許文献１に記載の無線カード端末がある。この無線カード端末は、０〜９０度の回転角度で可動する可動式アンテナを有し、この可動式アンテナを自動制御し、アンテナを角度０〜９０度の全可動ポイントでＲＳＳＩ（Received Signal Strength Indicator：受信信号強度）や、ＣＩＮＲ（Carrierto Interferenceand Noise Ratio：搬送波レベル対干渉・雑音比）を測定することで受信状況を把握し、その中で最も受信状況が良いと思われるポイントにアンテナを移動させ、高品質な受信を実現している。
【０００３】
また、現在のアンテナ位置でＲＳＳＩやＣＩＮＲの値が変化し、設定した閾値を下回った場合には、再びアンテナの全可動ポイントにおいてＲＳＳＩ及びＣＩＮＲの測定を行い、最適なアンテナ位置を再決定することで、時々刻々と変化する通信状況に対応している。
【先行技術文献】
【特許文献】
【０００４】
【特許文献１】特開２０１０−７４７１５号公報
【発明の概要】
【発明が解決しようとする課題】
【０００５】
ところで、特許文献１の無線カード端末においては、最適な通信状況の把握と実際の通信を１本のアンテナで行っている。このため、最適なアンテナ位置で通信を行っていても、通信状況が悪くなってきた場合に、アンテナを再度全可動ポイントに移動させて通信状況を把握する必要がある。この把握の最中に、通信状況が悪いアンテナ位置でも通信を行う可能性があるため、この場合、通信品質が低下してしまうという問題がある。
【０００６】
また、見通しのよい場所での通信であれば、通信状況が大きく変化することが少ないため、アンテナ位置を変更する制御は起こりづらいが、見通しが悪い場所では、通信状況が時々刻々と変化するため、アンテナの最適位置を見つける制御が増加する。このため、必然的に通信品質の低下が生じる。
【０００７】
また、無線カード端末では、主にＲＳＳＩとＣＩＮＲを用いて通信状況の把握を行っているが、基地局と無線カード端末との通信状況の把握において、例えば第３世代携帯電話方式のデータ通信を高速化した規格であるＨＳＤＰＡ（High Speed Downlink Packet Access）や、新たな携帯電話の通信規格であるＬＴＥ（Long Term Evolution）においては、ＣＱＩ（Channel Quality Indivator：チャネル品質指数）を元にして、使用する変調方式を高速な方式を使用するか、低速な方式を使用するかを判断している。このような通信規格の場合、ＲＳＳＩとＣＩＮＲだけでは通信状況の把握としては充分とは言えず、結果的に通信品質が低下してしまう場合が考えられる。
【０００８】
本発明は、このような事情に鑑みてなされたものであり、可動式のアンテナで通信品質の低下を招かないように最適な通信位置を把握して実際の通信を常に高品質で行うことができる無線装置を提供することを目的とする。
【課題を解決するための手段】
【０００９】
上記した課題を解決するために本発明は、通信用アンテナと、測定用アンテナと、前記通信用アンテナおよび前記測定用アンテナを駆動するアンテナ駆動部と、前記測定用アンテナの可動域における通信状況に応じて前記測定用アンテナの位置または前記位置のそばに前記通信用アンテナが位置するようにアンテナ駆動部を制御する制御部とを備えるよう構成される。
【００１０】
本発明において、前記制御部は、前記アンテナ駆動部に、前記可動域の内の複数の所定位置に、前記測定用アンテナを移動させるように第１制御を行うと共に、前記所定位置で測定された通信状況が、前記通信用アンテナの現在の通信状況より良い場合、前記所定位置で測定された位置または前記位置のそばに前記通信用アンテナが位置するように第２制御を行うよう構成される。
【００１１】
本発明において、前記制御部は、前記第１制御を所定時間間隔で行うよう構成される。
【００１２】
本発明において、前記通信状況は、受信信号強度を示すＲＳＳＩ、搬送波レベル対干渉・雑音比を示すＣＩＮＲ、チャネル品質指数を示すＣＱＩであるよう構成される。
【００１３】
本発明において、前記制御部は、前記通信用アンテナで受信された通信状況が所定の閾値以下となったときに前記第１制御を行うよう構成される。
【００１４】
本発明において、前記制御部は、前記最適通信状況に１未満の比率をかけて前記閾値を算出するよう構成される。
【００１５】
本発明において、前記制御部は、前記最適通信状況から所定の劣化量を減算することによって前記閾値を算出するよう構成される。
【００１６】
本発明において、前記制御部は、前記閾値を、前記測定用アンテナで受信された通信状況において最適通信状況の次に良かった通信状況を前記閾値として設定するよう構成される。
【００１７】
本発明において、前記制御部は、前記測定用アンテナの可動域のうち最適な通信状況の前記測定用アンテナの位置または前記位置のそばに前記通信用アンテナが位置するようにアンテナ駆動部を制御するよう構成される。
【００１８】
本発明において、通信用アンテナおよび測定用アンテナは、共通の軸を基準に回動して隣り合うよう配備されるよう構成される。
【発明の効果】
【００１９】
本発明によれば、可動式のアンテナで通信品質の低下を招かないように最適な通信位置を把握して実際の通信を常に高品質で行うことができる。
【図面の簡単な説明】
【００２０】
【図１】（ａ）は実施形態に係る無線装置としてのＰＣカードの外観構成を示す斜視図、（ｂ）はＰＣカードの平面及び一部を透視した平面透視図である。
【図２】ＰＣカード本体の構成を示すブロック図である。
【図３】ＰＣカードの測定用アンテナの回動角度を示す図である。
【図４】ＰＣカードにおける制御部の位置情報テーブルを示す図である。
【図５】ＰＣカードの通信用アンテナ及び測定用アンテナの動作を説明するためのフローチャートである。
【図６】無線装置であるＰＣカード１０の動作の第２実施形態について説明するフローチャートである。
【発明を実施するための形態】
【００２１】
以下、本発明の実施形態を、図面を参照して説明する。但し、本明細書中の全図において相互に対応する部分には同一符号を付し、重複部分においては後述での説明を適時省略する。
【００２２】
（実施形態の構成）
図１（ａ）は実施形態に係る無線装置としてのＰＣカード１０の外観構成を示す斜視図、（ｂ）はＰＣカード１０の平面及び一部を透視した平面透視図である。
【００２３】
図１（ａ）に示すように、ＰＣカード１０は、パーソナルコンピュータ（ＰＣ）等のホスト装置２０に設けられたカード挿入口２０ａに矢印Ｙ１で示すように着脱自在となっており、通信時にカード挿入口２０ａに装着して使用される。なお、ホスト装置２０は、ＰＣカード１０に接続可能であれば、ＰＣ以外の装置であってもよい。ＰＣカード１０は、例えば、ＷｉＭＡＸ（ＷｏｒｌｄｗｉｄｅＩｎｔｅｒｏｐｅｒａｂｉｌｉｔｙｆｏｒＭｉｃｒｏｗａｖｅＡｃｃｅｓｓ）データ通信、ＰＨＳ（ＰｅｒｓｏｎａｌＨａｎｄｙ−ｐｈｏｎｅＳｙｓｔｅｍ）データ通信や、携帯電話網を利用したデータ通信などを行うモバイル端末装置である。
【００２４】
図1（ｂ）に示すように、ＰＣカード１０は、ＰＣカード本体１１と、アンテナ駆動部１２と、実際の通信を行う可動式の通信用アンテナ１３ａと、ＲＳＳＩ、ＣＩＮＲ及びＣＱＩ等による通信状況の測定を行う可動式の測定用アンテナ１３ｂとを備える。
【００２５】
アンテナ駆動部１２は、その内部に、２つのモータＭ１，Ｍ２を備え、通信用アンテナ１３ａ及び測定用アンテナ１３ｂを次のように駆動させる。一方のモータＭ１は、この回転軸が通信用アンテナ１３ａの基端部に取り付けられており、モータＭ１の回転によって通信用アンテナ１３ａを所定の角度範囲、例えば双方向矢印Ｙ２、Ｙ３で示すように０〜９０度（又は°と表現）の範囲で回動移動させる。他方のモータＭ２は、この回転軸が測定用アンテナ１３ｂの基端部に取り付けられており、モータＭ２の回転によって測定用アンテナ１３ｂを通信用アンテナ１３ａと同角度範囲で回動移動させる。つまり、通信用アンテナ１３ａと測定用アンテナ１３ｂとは、各モータＭ１，Ｍ２によって別々に移動される。なお、通信用アンテナ１３ａ及び測定用アンテナ１３ｂが移動可能な範囲を全可動ポイントともいう。
【００２６】
ＰＣカード本体１１は、図２に示すように、データＩＦ（インターフェース）１４と、制御部１５と、無線部１６と、アンテナ位置制御部１７ａ，１７ｂとを備えて構成され、これら構成要素はバス接続されている。
【００２７】
データＩＦ１４は、ホスト装置２０のデータＩＦ２１に接続され、ホスト装置２０との間で各種データを遣り取りする。
【００２８】
無線部１６は、データを無線信号にて送受信する送受信手段であり、ホスト装置２０からデータＩＦ１４に転送されたデータを通信用アンテナ１３ａから発信させ、通信用アンテナ１３ａで受信されたデータをデータＩＦ１４へ出力する。この出力されたデータはデータＩＦ１４からホスト装置２０へ転送される。また、無線部１６は、通信状況の測定時に測定用アンテナ１３ｂによる電波の送受信を行う。
【００２９】
アンテナ位置制御部１７ａは、制御部１５のアンテナ移動指示に応じてモータＭ１の回動を制御することにより通信用アンテナ１３ａを０度〜９０度の範囲で移動させる制御（第２制御）を行う。アンテナ位置制御部１７ｂは、制御部１５のアンテナ移動指示に応じてモータＭ２の回動を制御することにより測定用アンテナ１３ｂを０度〜９０度の範囲で移動させる制御（第１制御）を行う。
【００３０】
制御部１５は、記憶手段としての位置情報テーブル１５ａ及び記憶部１５ｂを備え、アンテナ位置制御部１７ｂに通信状況測定時のアンテナ移動指示を行って、図３に示すように測定用アンテナ１３ｂを０〜９０度の全可動ポイントで移動させながら、ＲＳＳＩ、ＣＩＮＲ、ＣＱＩの通信状況を取得し、図４に示すように位置情報テーブル１５ａに、その取得した全可動ポイントのアンテナ角度情報（０°，ａ°，ｂ°，...９０°）に通信状況情報（ＲＳＳＩ，ＣＩＮＲ，ＣＱＩ）を対応付けて記憶する。この記憶は、通信の初期時には測定用アンテナ１３ｂで受信された通信状況情報がそのまま記憶されるが、２回目以降は上書きされる。
【００３１】
更に、制御部１５は、その各アンテナ角度位置での通信状況情報の記憶後、この記憶された通信状況情報の中から最適な通信状況情報を判別し、この最適通信状況情報とこの際のアンテナ角度情報とを対応付けて記憶部１５ｂに記憶する。
【００３２】
また、制御部１５は、現在の通信用アンテナ１３ａで受信されるＲＳＳＩ，ＣＩＮＲ，ＣＱＩの通信状況を取得し、この取得された通信状況情報と、先に記憶部１５ｂに記憶された測定用アンテナ１３ｂでの最適通信状況情報とを比較し、この結果、取得通信状況情報の方が良ければ通信用アンテナ１３ａをそのままのアンテナ角度位置とし、最適通信状況情報の方がよければこの最適通信状況情報に対応付けられたアンテナ角度情報で示されるアンテナ角度に通信用アンテナ１３ａを移動させる制御を行う。
【００３３】
（第１実施形態の動作）
次に、ＰＣカード１０の通信用アンテナ１３ａ及び測定用アンテナ１３ｂの動作を、図５に示すフローチャートを参照して説明する。まず、制御部１５によってアンテナ位置制御部１７ｂに測定用アンテナ１３ｂによる全可動ポイントでの通信状況の測定指示が行われる。この指示に応じてアンテナ位置制御部１７ｂにより、測定用アンテナ１３ｂが０〜９０度における例えば５°刻みの角度で移動するようにモータＭ２が回動制御される。これによって測定用アンテナ１３ｂが０°から５°刻みで順次移動し、これら移動時に測定用アンテナ１３ｂでＲＳＳＩ，ＣＩＮＲ，ＣＱＩの通信状況が受信される（ステップＳ１）。
【００３４】
この受信された通信状況情報は無線部１６を介して制御部１５に送られ、その通信状況情報受信時のアンテナ角度情報に対応付けられて、図４に示すように位置情報テーブル１５ａに記憶される。この記憶は初期時にはそのまま情報が記憶され、２回目以降は上書きされる（ステップＳ２）。
【００３５】
この記憶は例えばアンテナ角度が０°の際にＲＳＳＩが−６０ｄＢｍ、ＣＩＮＲが１ｄＢ、ＣＱＩが３であり、５°の際にＲＳＳＩが−５５ｄＢｍ、ＣＩＮＲが１．１ｄＢ、ＣＱＩが１０、１０°の際にＲＳＳＩが−５４０ｄＢｍ、ＣＩＮＲが１．１ｄＢ、ＣＱＩが２５、...、９０°の際にＲＳＳＩが−４０ｄＢｍ、ＣＩＮＲが３ｄＢ、ＣＱＩが３０である。
【００３６】
次に、制御部１５によって、ステップＳ２の位置情報テーブル１５ａへの記憶後、その記憶された通信状況情報の中から最適な通信状況情報が選択され、この選択された最適通信状況情報とこの際のアンテナ角度情報とが対応付けられて記憶部１５ｂに記憶される。この記憶は初期時にはそのまま情報が記憶され、２回目以降は上書きされる（ステップＳ３）。このステップＳ３の記憶処理後、予め定められた一定時間後、ステップＳ１に戻って上記ステップＳ３までの処理が行われる。
【００３７】
次に、制御部１５によって、現在の通信用アンテナ１３ａで受信されるＲＳＳＩ，ＣＩＮＲ，ＣＱＩの通信状況が測定されて取得される（ステップＳ４）。更に制御部１５では、その取得された通信状況情報と、ステップＳ３で記憶部１５ｂに記憶された測定用アンテナ１３ｂでの最適通信状況情報とが比較され、この結果、取得通信状況情報の方が良い（高品質）と判断された場合は、通信用アンテナ１３ａはそのままのアンテナ角度位置とされる（ステップＳ５）。このステップＳ５の後、上記ステップＳ３において新たな最適通信状況情報が記憶された後に、ステップＳ１に戻って上記ステップＳ４までの処理が行われる。
【００３８】
一方、ステップＳ５の結果、取得通信状況情報の方が悪い（低品質）と判断された場合、言い換えれば、記憶部１５ｂに記憶された測定用アンテナ１３ｂでの最適通信状況の方がよいと判断された場合、制御部１５によってその最適通信状況情報に対応付けられたアンテナ角度（例えば９０°）に通信用アンテナ１３ａを移動する指示がアンテナ位置制御部１７ａに行われる。この指示に応じてアンテナ位置制御部１７ａにより、通信用アンテナ１３ａが９０°のアンテナ角度に移動するようにモータＭ１が回動制御され、これによって通信用アンテナ１３ａが９０°のアンテナ角度に移動する（ステップＳ６）。この移動後、通信用アンテナ１３ａは実通信を行う（実施形態の効果）。
【００３９】
このように本実施形態のＰＣカード１０は、実際の通信を行う可動式の通信用アンテナ１３ａと、無線通信の通信状況を測定する測定用アンテナ１３ｂと、通信用アンテナ１３ａ及び測定用アンテナ１３ｂを別々に回動移動させるアンテナ駆動部１２と、アンテナ駆動部１２に測定用アンテナ１３ｂを所定の角度範囲で回動移動させるように第１制御を行うと共に、アンテナ駆動部１２に通信用アンテナ１３ａを所定の角度位置に回動移動させるように第２制御を行うアンテナ位置制御部１７とを備える。
【００４０】
更に、アンテナ位置制御部１７に第１制御を行う指示を行い、この指示で測定用アンテナ１３ｂが所定の角度範囲を移動しながら受信した通信状況の情報を取得し、この取得した各通信状況情報の中の最適通信状況情報を、この受信時のアンテナ角度情報に対応付けて記憶手段に記憶し、通信用アンテナ１３ａで受信される通信状況を取得し、この取得された通信状況情報が記憶手段に記憶された最適通信状況情報よりも高品質であれば通信用アンテナ１３ａをそのままのアンテナ角度位置とし、上記の取得された通信状況情報が最適通信状況情報よりも低品質であれば第２制御の指示を行って通信用アンテナ１３ａを当該最適通信状況情報に対応付けられたアンテナ角度情報で示されるアンテナ角度に移動させる制御を行う制御部１５とを備えて構成されている。
【００４１】
つまり、アンテナ位置制御部１７及び制御部１５による制御手段は、測定用アンテナ１３ｂで最適通信状況を検索しながら、この最適通信状況が通信用アンテナ１３ａで受信された通信状況よりも高品質であれば、通信用アンテナ１３ａをその最適通信状況受信時のアンテナ角度位置に移動させる制御を行う。これによって、通信状況が悪化する前にアンテナ角度位置を変更して、通信品質を低下させることなく通信を行うことが可能となる。
【００４２】
また、制御部１５は、上記の第１制御を所定時間間隔で行う。この場合、測定用アンテナ１３ｂを必要最小限の駆動時間に収めることができるので、アンテナ駆動部１２の高寿命化を図ることが出来る。
【００４３】
更に、通信状況は、受信信号強度を示すＲＳＳＩ、搬送波レベル対干渉・雑音比を示すＣＩＮＲ、チャネル品質指数を示すＣＱＩとした。この場合、ＣＱＩも通信状況として用いて判断しているので、ＲＳＳＩ，ＣＩＮＲが同値を示すアンテナ角度位置が検出されたとしても、より高速な変調方式を使用することができる通信路を選択することができ、より通信品質を高めることができる。
【００４４】
（第２実施形態の動作）
上述したように第１実施形態の動作によれば、測定用アンテナ１３ｂによって最適な通信位置を把握し、可動式の通信用アンテナ１３ａをその最適な通信位置に移動させることにより、無線通信の通信状況を測定している最中においても通信用アンテナ１３ａの通信品質の低下を招くことなく、常に高い通信品質を確保することができる。
【００４５】
ここで、ホスト装置であるＰＣ２０が移動していない場合、それに装着されるＰＣカード１０も当然にして移動することはなく、ＰＣカード１０の通信状況ひいては通信品質にはあまり変化が生じない。しかしながら、第１実施形態の構成であると、測定用アンテナ１３ｂは、このように通信品質にあまり変化が生じない場合であっても常時通信状況の測定（ステップＳ１）を行うため、無駄な動作が多くなり、消費電力の増大を招いてしまう。
【００４６】
そこで第２実施形態では、通信品質（通信状況）があまり変化しない場合におけるＰＣカード１０の通信用アンテナ１３ａ及び測定用アンテナ１３ｂの動作について説明する。図６は、無線装置であるＰＣカード１０の動作の第２実施形態について説明するフローチャートである。なお、以下の説明では、第１実施形態と共通の動作については同一の符号を付して略載する。
【００４７】
図６に示すように、第２実施形態の動作においても、まず第１実施形態の動作と同様に、制御部１５（アンテナ位置制御部１７ｂ）は、測定用アンテナ１３ｂによる全可動ポイントでの通信状況の測定を行い（ステップＳ１）、測定された通信状況（通信状況情報）を、その通信状況情報受信時のアンテナ角度（アンテナ角度情報）に対応付けて、位置情報テーブル１５ａ（図４参照）に記憶する（ステップＳ２）。そして、制御部１５は、位置情報テーブル１５ａに記憶された通信状況情報の中から最適な通信状況（最適通信状況情報）を選択して、かかる最適通信状況情報およびこの際のアンテナ角度を対応付けて記憶部１５ｂに記憶する（ステップＳ３）。
【００４８】
次に、本実施形態の１つめの特徴として、制御部１５は通信状況の閾値を設定し、記憶部１５ｂに記憶する（ステップＳ１０２）。このステップＳ１０２において、制御部１５は、最適通信状況に１未満（例えば０．８等）の比率をかけて算出し、この値を閾値としてもよい。また閾値としては、最適通信状況から所定の劣化量（例えば３ｄＢ）を減算した値を用いてもよいし、更に例えば、ステップＳ１において測定用アンテナで受信された通信状況において、最適通信状況の次に良かった通信状況を閾値としてもよい。
【００４９】
続いて、制御部１５は、通信用アンテナ１３ａを、ステップＳ３で記憶部１５ｂに記憶された測定用アンテナ１３ｂでの最適通信状況情報に対応付けられたアンテナ角度に移動する（ステップＳ１０４）。そして、制御部１５は、通信用アンテナ１３ａで受信されるＲＳＳＩ，ＣＩＮＲ，ＣＱＩなど、すなわち現在の通信状況を測定する（現在通信状況情報を取得する）（ステップＳ４）。
【００５０】
ステップＳ４において現在通信状況を取得したら、本実施形態の２つめの特徴として、制御部１５は、ステップＳ４で取得された現在通信状況情報と、ステップＳ１０２で記憶部１５ｂに記憶された閾値とを比較する（ステップＳ１０６）。この結果、現在通信状況情報が閾値以下でない場合（現在通信状況情報が閾値を越えている場合）、換言すればステップＳ４で取得された現在通信状況情報の方が良い（高品質である）と判断された場合（ステップＳ１０６のＮＯ）、制御部１５は、通信用アンテナ１３ａをそのままのアンテナ角度とし（アンテナ角度を変更せず）、ステップＳ４に戻って現在通信状況情報の取得を継続する。
【００５１】
一方、現在通信状況情報が閾値以下であった場合、換言すればステップＳ１０２で記憶部１５ｂに記憶された閾値の方が良い（高品質である）と判断された場合（ステップＳ１０６のＹＥＳ）、ステップＳ１に戻る。そして、制御部１５は、測定用アンテナ１３ｂを動かして通信状況の測定し（ステップＳ１）、測定された通信状況およびそのときのアンテナ角度を記憶することにより位置情報テーブル１５ａを更新し（ステップＳ２）、位置情報テーブル１５ａから選択した最適通信状況とそのときのアンテナ角度情報とを対応付けて記憶部１５ｂに記憶することによりそれらを更新する（ステップＳ３）。すると、ステップＳ１０２では、更新された最適通信状況に基づいて新たな閾値が設定され（閾値が更新され）、ステップＳ１０４では、通信用アンテナ１３ａが、ステップＳ３で更新された最適通信状況に対応付けられたアンテナ角度に移動する。
【００５２】
以上説明したように第２実施形態の動作によれば、測定用アンテナ１３ｂを所定の角度範囲で回動移動させる第１制御（ステップＳ１）は、通信開始時に行われた後は、ステップＳ４において通信用アンテナ１３ａで受信される現在通信状況が所定の閾値以下となったときにのみに行われる。換言すれば本実施形態では、制御部１５は、通信用アンテナ１３ａの現在位置での通信状況（現在通信状況）が、通信開始時以降に所定の閾値以下にならない限りは、通信用アンテナ１３ａおよび測定用アンテナ１３ｂを回転移動させないように制御する。
【００５３】
上記構成によれば、通信状況の変化が少ない場合には通信用アンテナ１３ａおよび測定用アンテナ１３ｂを動作させないことにより、無駄な動作ひいては消費電力の抑制が図れる。一方、ＰＣカード１０（無線装置）の移動により通信状況が頻繁に変化する際には、測定用アンテナ１３ｂの第１制御によって常に最適な通信状況を確保することができる。
したがって、良好な通信品質の確保、および消費電力の削減の両立を図ることが可能である。
【符号の説明】
【００５４】
１０...ＰＣカード、１１...ＰＣカード本体、１２...アンテナ駆動部、１３ａ...通信用アンテナ、１３ｂ...測定用アンテナ、１４...データＩＦ、１５...制御部、１５ａ...位置情報テーブル、１５ｂ...記憶部、１６...無線部、１７ａ...アンテナ位置制御部、１７ｂ...アンテナ位置制御部、２０...ホスト装置、２０ａ...カード挿入口、２１...データＩＦ
【図１】
2013017156.tif 000003
【図２】
2013017156.tif 000004
【図３】
2013017156.tif 000005
【図４】
2013017156.tif 000006
【図５】
2013017156.tif 000007
【図６】
2013017156.tif 000008